(57)【要約】【課題】    クラブシャフトのグリップにおいて、必要に応じて適宜簡単に交換でき、かつ、グリップに型くずれや位置がずれがないゴルフグリップを提供する。  【解決手段】    帯状ゴム部材を軸方向に一体して筋状の厚み部分のあるゴム部材の筒状固定グリップを形成し、該筒状固定グリップの上下端には若干突出した輪状部を設けて、該筒状固定グリップをクラブシャフトのグリップ側に挿入して接着固定し、その上からシャフト全周を薄いゴム部材であって脱着可能な筒状脱着グリップを装着し、前記輪状部の筒状固定グリップ部からの高さと筒状脱着グリップの厚さをほぼ同じにして両者の接触部が平坦になるようにするとともに、前記輪状部分によって筒状脱着グリップが脱落することを防止したゴルフグリップ。【選択図】図３
2005168527.tif 000002
【特許請求の範囲】
【請求項１】
帯状ゴム部材を軸方向に一体して筋状の厚み部分のあるゴム部材の筒状固定グリップを形成し、該筒状固定グリップの上下端には若干突出した輪状部を設けて、該筒状固定グリップをクラブシャフトのグリップ側に挿入して接着固定し、その上から薄いゴム部材の脱着可能な筒状脱着グリップを装着し、前記輪状部の筒状固定グリップ部からの高さと筒状脱着グリップの厚さをほぼ同じにして両者の接触部が平坦になるようにするとともに、前記輪状部分によって筒状脱着グリップが脱落するのを防止したことを特徴とするゴルフグリップ。
【請求項２】
前記の請求項１において、前記筒状固定グリップのゴム部材は固いＪＩＳ硬度４０乃至６５であり、筒状脱着グリップのゴム部材は柔らかいＪＩＳ硬度１０乃至４０であることを特徴とする請求項１に記載のゴルフグリップ。
【発明の詳細な説明】
【技術分野】
【０００１】
本発明は、ゴルフシャフトのグリップ、特に、グリップを脱着自在として自由に変えることができるゴルフグリップの技術分野に属する。
【背景技術】
【０００２】
従来より、ゴルフや各種ラケットなどのグリップは、長年使用していると摩耗して感触が変わったり、夏などの暑い時は汗で滑りやすくなり、この場合にグリップを交換するが、この場合にはそれまでのグリップを剥ぎ取り作業などの面倒な交換作業を必要とした。
このため、テニスやゴルフ等のグリップにおいては、既に取り付けられているグリップの上に、衝撃吸収性の高い素材や、滑りにくい素材を巻き付けて使用するグリップテープが、例えば、特許文献１(特開平６−７４８８号公報)等に示されるように知られている。このグリップテープは、既存のグリップの上に所望の感触のテープを螺旋状に巻き付け、末端を固定粘着テープなどで固定するものである。
【０００３】
【特許文献１】特開平６−７４８８号公報
【発明の開示】
【発明が解決しようとする課題】
【０００４】
ところで、ゴルフの正式試合等の規則でのゴルフグリップは、ほぼ断面は円形で表面は平坦であることが要求され、前述したグリップテープは表面に凸凹が生じ正式試合では認められない場合もあり、また、グリップテープで巻き付ける為に、使用しているうちにテープの偏り型くずれや位置がずれてしまうという不都合があった。
本発明は、このような不都合に鑑みてなされたもので、クラブフシャフトのグリップを、遊技者の好みに応じて適宜簡単に交換でき、かつ、グリップに型くずれや位置がずれ生じないゴルフグリップを提供しようとするものである。
【課題を解決するための手段】
【０００５】
上記の課題を解決するために、請求項１の発明は、帯状ゴム部材を軸方向に一体して筋状の厚み部分のあるゴム部材の筒状固定グリップを形成し、該筒状固定グリップの上下端には若干突出した輪状部を設けて、該筒状固定グリップをクラブシャフトのグリップ側に挿入して接着固定し、その上から薄いゴム部材の脱着可能な筒状脱着グリップを装着し、前記輪状部の筒状固定グリップ部からの高さと筒状脱着グリップの厚さをほぼ同じにして両者の接触部が平坦になるようにするとともに、前記輪状部分によって筒状脱着グリップが脱落するのを防止したことを特徴とするゴルフグリップである。
【０００６】
請求項２の発明は、前記の請求項１において、前記筒状固定グリップのゴム部材は固いＪＩＳ硬度４０乃至６５であり、筒状脱着グリップのゴム部材は柔らかいＪＩＳ硬度１０乃至４０であることを特徴とする請求項１に記載のゴルフグリップである。
【発明の効果】
【０００７】
本発明は、以上のような構成により、ゴルフシャフトに必要とするグリップに変えたい場合に、異なったグリップに特殊な工具などを必要とせず、簡単に交換でき、遊技者の好みのグリップに簡単に変えることができ、かつ、交換する脱着グリップが筒状であり、筋状の厚み部分や輪状部を設けることに伴って、グリップに型くずれや位置ずれ、及び、脱落が生じにくいという効果を奏し、更にグリップに凹凸がないことから正式の試合等でも使用することが可能である。
【発明を実施するための最良の形態】
【０００８】
本発明は、遊技者の好みに応じたゴルフグリップに簡単に変えることが出来るようするため、薄いゴム部材からなる筒状脱着グリップを、ゴルフシャフトの基礎となる固定グリップの上に脱着可能にたことを特徴の一つとしたものである。
【実施例】
【０００９】
本発明の好適な第１の実施例を図に沿って説明する。
図１において、クラブシャフト１の先端側にゴルフ球を打つクラブヘッド(図示せず)が設けられ、末端側にはグリップの外形の基礎となる筒状固定グリップ２が接着剤を用いて固定されている。
前記の筒状固定グリップ２は、図１に示すように、クラブヘッド側の直径(図１c)に比べてクラブシャフト１の末端側の直径(図１a)は若干大きく、全体としては円錐筒状(図１ｂ)の基礎円錐筒状部21を形成しており、どの断面形状も筋状の厚み部分25を除いて円形である。
この基礎円錐筒状部21のクラブヘッド側の端部にはリング状の膨出した輪状部22が設けられ、他方、クラブシャフト１の末端側のグリップエンド231にも若干突出した輪状部23が設けられ、それぞれ基礎円錐筒状部21に対して、約１.５ｍｍ程度の高であり、後述するように、脱着可能な筒状脱着グリップのずれや脱落を防止するものである。
なお、グリップエンド231の外側の中心には空気孔２７が設けられおり、シャフト１に基礎円錐筒状部21を挿入することを容易にしている。
【００１０】
また、筒状固定グリップ２のシャフト方向には、糸状繊維を混入した厚み約1.5ｍｍ、幅約５ｍｍの硬度55〜65(JIS K-6253)の固いゴムの帯状部材24を基礎円錐筒状部21の内周に一体して圧着し筋状に部分的に厚い肉厚部25を設けてある。
このシャフト方向に筋状の肉厚部25を設けたのは、ゴルフ遊技者がグリップを握った際に力がはいり、円形であるグリップのセンター部を決めることができるほか、後述するように、筒状脱着グリップ３がずれないようにする作用をも有している。
【００１１】
ところで、筒状固定グリップ２の帯状部材24は上述したように硬度55〜65とし、基礎円錐筒状部21も同じ硬さのも硬度55〜65(JIS K-6253)としたが、固めのものが形の安定性から好ましく、硬度40〜70(JIS K-6253)の範囲で適宜選択すればよい。
ここで、本実施例での硬度の単位のJIS測定規格K-6253は、旧JIS測定規格K-6301と同じであるが、スプリング式のデュロメータ・タイプＡで測定したゴムの硬さである。
【００１２】
次に、筒状脱着グリップ３を説明するが、図２及び図３に示すように、筒状部31の内径は基礎円錐筒状部21の外形とほぼ同じか若干小さく、クラブヘッド側の頂部部32の直径(図２c)に比べてクラブシャフト１の末端側の底部33の直径(図２a)は若干大きく、全体としては円錐筒状(図２ｂ)であり、長さは一対の輪状部22から輪状部23の長さとほぼ一致しており(図３参照)、厚さが均一で約１.５ｍｍ程度であり、硬度が１０〜４０、好ましくは３０〜４０の柔らかいゴムで形成されている。
また、上記実施例では、筒状脱着グリップ３の厚さを一定とし、製造も容易なものとしたが、底部33の厚さを３ｍｍｍ程度と厚く、頂部部32に近づくに従って１ｍｍ程度に漸次薄くするようにすれば、より装着が容易となる。
なお、筒状脱着グリップ３の筒状部31の表面は、遊技者の好みに応じて手が滑らないようにザラザラした処理を施してもよく、汗や臭いを吸収する処理を施してもよい。
【００１３】
更に、本実施例の仕上がったゴルフグリップ４を図３、その装着方法を図４を用いて説明するが、図３に示すように、固いゴムで形成される筒状固定グリップ２の輪状部22とグリップエンドの輪状部23の間の基礎円錐筒状部21に、柔らかいゴムで形成される筒状脱着グリップ３が装着されている。
筒状固定グリップ２に筒状脱着グリップ３を装着するには、図４に示すように、(１)柔らかい筒状脱着グリップ３を表と裏を逆にしておき、筒状固定グリップ２のグリップエンド側の輪状部23に、筒状脱着グリップ３の底部33を装着する。
(２)次に、筒状脱着グリップ３をグリップエンドの輪状部23から、靴下を履くときのように、裏側を筒状固定グリップ２の基礎円錐筒状部21に沿わして、輪状部22まで裏返す。
なお、装着しづらい場合に、グリップエンドの輪状部23に滑り易い材質の円錐台或いは靴べら状の装着補助具を用いてもよいことは勿論である。
(３)筒状固定グリップ２の基礎円錐筒状部21の輪状部22と輪状部23とに亘って、筒状脱着グリップ３が覆い、輪状部22と輪状部23の凸部の表面と筒状部31の表面は一致して平坦となるように装着される。
したがって、本実施例のゴルフグリップは、筒状固定グリップ２に筒状脱着グリップ３を装着して、初めて正式な試合にも使用できるものとなり、完成したゴルフグリップとなるのである。
【００１４】
以上のように、筒状固定グリップ２に筒状脱着グリップ３を装着するが、接着材等は使用しないで簡単に脱離できないように、筒状脱着グリップ３が移動しないようにしなければならない。そのため、上述したように、筒状脱着グリップ３は柔らかいゴムで成形し、場合によっては、筒状部31の内径は基礎円錐筒状部21の外形よりも若干小さくして圧着させても良く、基礎円錐筒状部21の表面又は筒状部31の内周面をざらつかせて摩擦抵抗力を高めてもよい。
また、グリップの円周方向の移動防止には、基礎円錐筒状部21の筋状肉厚部25を設けてあるが、他の実施例として、図５に示すように、筒状固定グリップ２基礎円錐筒状部21の表面にシャフト軸に沿って長い凹溝部26を設け、これに対応して、筒状脱着グリップ３の筒状部31の内周壁にシャフト軸に沿って筋状の凸状筋部34を設けて嵌合して回動を阻止するようにしても良い。
さらに、グリップのシャフト軸方向の移動防止には、一対の輪状部22と輪状部23とによって脱落を防止している。          
【００１５】
なお、本発明の特徴を損なうものでなければ、上記の実施例に限定されるものでないことは勿論であり、例えば、筒状脱着グリップ３の筒状部31の厚さを約１.５ｍｍ程度でとしたが、これより薄くして脱着を容易にしてもよく、逆に形状の安定のために厚くしてもよく、硬度も必要に応じて適宜設計変更することは自由である。
【産業上の利用可能性】
【００１６】
本発明のゴルフグリップは、グラブの種類を問わずに適用でき、他のテニスなどのスポーツのグリップにも適用可能である。
【図面の簡単な説明】
【００１７】
【図１】本発明の実施例のゴルフグリップの筒状固定グリップを示す図で、図１(ａ)はグリップエンドからの側面図、図１(ｂ)はグリップの縦断面、図１(ｃ)は図１(ｂ)のｃ−ｃ線での断面図、図１(ｄ)は図１(ｂ)のｄ−ｄ線での拡大断面図である。
【図２】本発明の実施例の筒状脱着グリップを示す図で、図２(ａ)はグリップエンドからの側面図、図２(ｂ)はグリップの縦断面図、図２(ｃ)はクラブヘッド側からの側面図である。
【図３】本発明の実施例の筒状固定グリップに筒状脱着グリップを装着したゴルフグリップを示す図で、図３(ａ)はグリップエンドからの側面図、図３(ｂ)はグリップの縦断面、図３(ｃ)は図３(ｂ)のｅ−ｅ線での断面図、図３(ｄ)は図３(ｂ)のｆ部分の拡大断面図、図３(ｅ)は図３(ｂ)のｇ部分の拡大断面図である。
【図４】本発明の実施例の筒状固定グリップに筒状脱着グリップを装着する手順を説明する装着説明図である。
【図５】本発明の他の実施例の筒状固定グリップに筒状脱着グリップを装着した際の断面図である。
【符号の説明】
【００１８】
１…クラブシャフト、
２…筒状固定グリップ、21…基礎円錐筒状部、22,23…輪状部、
24…帯状部材、25…筋状肉厚部、26…凹溝部,27…空気孔
３…筒状脱着グリップ、31…筒状部、32…頂部部、33…底部、
34…凸状筋部
４…ゴルフグリップ
【図１】
2005168527.tif 000003
【図２】
2005168527.tif 000004
【図３】
2005168527.tif 000005
【図４】
2005168527.tif 000006
【図５】
2005168527.tif 000007